(57)【要約】【課題】安定性が高く、且つ、狭い場所でも好適に使用可能な釣竿スタンドを提供する。【解決手段】釣竿スタンドであって、内部に中空部を有する台座部材１０と、ベース部材３０と、釣竿９０を立てて保持可能な保持部材５０と、を有する。台座部材１０の上面には、ベース部材３０を着脱自在に取り付け可能な被取付部１１が設けられており、ベース部材３０には、複数の保持部材５０を着脱自在に取り付け可能な被取付部３１，３２が設けられている。保持部材５０は筒部６０及び回動規制部７０を備えており、筒部６０に釣竿９０が差し込まれることで釣竿９０が保持され、回動規制部７０がリール９１に当接し、釣竿９０の回動が規制される。【選択図】図１
2020028264.tif 000002
【特許請求の範囲】
【請求項１】
釣竿を立てて保持可能な竿立て部材と、
内部に中空部を備え、複数の前記竿立て部材を着脱自在に取り付け可能な第１被取付部を上面に備える台座部材と、
を有する、釣竿スタンド。
【請求項２】
前記竿立て部材は、
前記釣竿を立てて保持可能な保持部材と、
前記保持部材を着脱自在に取り付け可能な第２被取付部が設けられるベース部材と、を備える、請求項１に記載の釣竿スタンド。
【請求項３】
前記保持部材は、
前記釣竿の移動を規制する移動規制部材と、
前記移動規制部材に設けられ、前記釣竿が備えるリールに当接して前記釣竿の軸回りの回動を規制する回動規制部材と、を備える請求項２に記載の釣竿スタンド。
【請求項４】
前記移動規制部材は筒であり、
前記回動規制部材は、前記移動規制部材の一方の端部に設けられ、
前記第２被取付部は、前記移動規制部材の他方の端部が取り付け可能である、請求項３に記載の釣竿スタンド。
【請求項５】
前記第１被取付部に前記竿立て部材を取り付けた場合に液体が前記竿立て部材から前記台座部材の底面へと通過可能な流路を備える、請求項１〜４のいずれか１項に記載の釣竿スタンド。
【請求項６】
前記竿立て部材は、側面に、鉛直方向に起立した面に対して取り付け可能な取付部を備える、請求項１〜５のいずれか１項に記載の釣竿スタンド。
【請求項７】
前記竿立て部材は、
前記第１被取付部への取り付け方向と平行な方向に貫通する孔と、
前記第１被取付部に前記竿立て部材を取り付けた場合に、前記孔の前記台座部材に対向する側を閉塞するカバー部材と、を備える、請求項１〜６のいずれか１項に記載の釣竿スタンド。
【請求項８】
前記竿立て部材は、前記台座部材への取り付け方向と平行な方向に貫通する孔を備え、
前記台座部材の上面の、前記台座部材が取り付けられた場合に前記孔と対向する位置には、周囲よりも凹んだ凹部が設けられている、請求項１〜６のいずれか１項に記載の釣竿スタンド。
【請求項９】
釣竿を立てて保持可能な竿立て部材と、
内部に中空部を有し、複数の前記竿立て部材を着脱自在に取り付け可能な被取付部を備える台座部材と、
を有し、
前記竿立て部材は、側面に、鉛直方向に起立した面に対して取り付け可能な取付部を備える、釣竿スタンド。
【発明の詳細な説明】
【技術分野】
【０００１】
本発明は、釣竿を立てて保持する釣竿スタンドに関する。
【背景技術】
【０００２】
船上等で釣りを行う場合、釣竿を地面等に寝かせて置けば、釣竿やリールに傷がつくおそれがある。また、釣竿を寝かせて置くうえで十分なスペースを確保できない場合も多く、釣竿を立てて保持する釣竿スタンドが求められている。
【０００３】
釣竿を立てて保持する釣竿スタンドとして、例えば、文献１〜３に記載の釣竿スタンドがある。文献１に記載の釣竿スタンドでは、折り畳み可能な支持部材に、釣竿を支持するホルダを複数設けている。文献２に記載の釣竿スタンドでは、複数の釣竿を立てて保持可能な釣竿保持部をクーラーボックスに取り付けている。文献３に記載の釣竿スタンドでは、基台に複数の筒を設けるとともに、その基台を、木ねじにより固定するための対象物に取り付け可能としている。文献１〜３では、以上のように構成することで、釣竿スタンドの持ち運びが容易に行え、且つ、複数の釣竿をひとつの釣竿スタンドに立てることができる。
【先行技術文献】
【特許文献】
【０００４】
【特許文献１】実用新案登録第３１１９４００号公報
【特許文献２】実用新案登録第３１２１３３３号公報
【特許文献３】実開平６−１９４７４号公報
【発明の概要】
【発明が解決しようとする課題】
【０００５】
文献１に記載されている釣竿スタンドは、折り畳み可能であるがゆえに、船上のような揺れが生ずる場所や、磯のような足場が不安定な場所では、釣竿スタンドが倒れるおそれがある。文献２に記載されている釣竿スタンドでは、クーラーボックスを別途用意する必要があるうえ、クーラーボックスの内容物の重量が軽ければ、釣竿立てが不安定となり、釣竿スタンドが倒れるおそれがある。文献３に記載されている釣竿スタンドでは、固定するための対象物を別途用意する必要があり、使用可能な状況が限定される。
【０００６】
本発明は、上記課題を解決するためになされたものであり、その主たる目的は、安定性が高く、且つ、狭い場所でも好適に使用可能な釣竿スタンドを提供することにある。
【課題を解決するための手段】
【０００７】
第１の構成は、釣竿スタンドであって、釣竿を立てて保持可能な竿立て部材と、内部に中空部を備え、複数の竿立て部材を着脱自在に取り付け可能な第１被取付部を上面に備える台座部材と、を有するものである。
【０００８】
第１の構成では、ひとつの台座部材の上部に複数の竿立て部材を取り付けることができるため、船上等のようなスペースに限りがある場所でも、ひとつの釣竿スタンドに複数の釣竿を立てて保持ことができる。一方、釣竿は長尺状であるため、釣竿を立てて保持する場合には重心が高くなり、釣竿スタンドが軽量であれば、釣竿スタンドが倒れるおそれがある。また、台座部材の上部に釣竿を保持する保持部材を設ける場合には、重心がより高くなり安定性がさらに低下する。したがって、複数の釣竿を安定して立てるためには、釣竿スタンドに十分な重さが必要になる。一方、釣竿スタンドを重くすれば、持ち運びの利便性が低下する。この点、第１の構成では、台座部材が内部に中空部を有しているため、釣りを行う場所に豊富に存在する水や砂等を台座部材の内部に入れ、台座部材の重さを確保することができる。したがって、釣竿スタンドの持ち運びの利便性を確保しつつ、台座部材の上部に釣竿を立てた場合でも、釣竿スタンドを安定させることができる。
【０００９】
第２の構成では、第１の構成に加えて、竿立て部材は、釣竿を立てて保持可能な保持部材と、保持部材を着脱自在に取り付け可能な第２被取付部が設けられるベース部材と、を備える。
【００１０】
この第２の構成では、台座部材に着脱自在に取り付け可能な竿立て部材についても、必要に応じて保持部を着脱することができるため、釣竿スタンドの構成を使用する釣竿の数に適したものとすることができる。
【００１１】
第３の構成では、第２の構成に加えて、保持部材は、釣竿の移動を規制する移動規制部材と、移動規制部材に設けられ、釣竿が備えるリールに当接して釣竿の軸回りの回動を規制する回動規制部材と、を備える。
【００１２】
この第３の構成では、釣竿スタンドを船上で使用した場合でも、船の揺れによる釣竿の移動や回動を抑制することができる。
【００１３】
第４の構成では、第３の構成に加えて、移動規制部材は筒であり、回動規制部材は、移動規制部材の一方の端部に設けられ、第２被取付部は、移動規制部材の他方の端部が取り付け可能である。
【００１４】
この第４の構成では、移動規制部材を切断することで長さを変更することができるため、竿立て部材の高さを使用する釣竿に適した高さに変更することができる。
【００１５】
第５の構成では、第１〜第４のいずれかの構成に加えて、第１被取付部に竿立て部材を取り付けた場合に液体が竿立て部材から台座部材の底面へと通過可能な流路を備える。
【００１６】
第５の構成では、濡れた釣竿を竿立て部材に立てた際に、釣竿に付着した水が流路を通過して台座部材の底面へ抜けるため、竿立て部材や台座部材の上面における水の滞留を抑制することができる。
【００１７】
第６の構成では、第１〜第５のいずれかの構成に加えて、竿立て部材は、側面に、鉛直方向に起立した面に対して取り付け可能な取付部を備える。
【００１８】
第６の構成では、台座部材に対して着脱可能な竿立て部材を、船の壁面等のような鉛直な面に対して取り付け可能であるため、釣竿スタンドの周囲の状況に適した構成で使用することができる。
【００１９】
第７の構成では、第１〜第６のいずれかの構成に加えて、竿立て部材は、第１被取付部への取り付け方向と平行な方向に貫通する孔と、第１被取付部に竿立て部材を取り付けた場合に、孔の台座部材に対向する側を閉塞するカバー部材と、を備える。
【００２０】
台座部材は中空部を備えているため、ナイフや包丁、ハサミ等の刃物が接触した場合、穴が開くおそれがある。一方、釣竿スタンドには、釣りで使用する様々な道具を収容する機能も求められている。この点、第６の構成では、竿立て部材に孔を設け、魚釣りで使用されるハサミ等の刃物を収容可能としつつ、その孔の底を閉塞するカバー部材により台座部材を保護しているため、より釣りに適した機能を提供しつつ、台座部材の耐久性を向上させることができる。また、第６の構成のように、竿立て部材を壁面等に取り付ける場合、カバー部材を取り付けることによって孔の下方から刃物が突出することがなくなり、安全性を確保することができる。
【００２１】
第８の構成では、第１〜第６のいずれかの構成に加えて、竿立て部材は、台座部材への取り付け方向と平行な方向に貫通する孔を備え、台座部材の上面の、台座部材が取り付けられた場合に孔と対向する位置には、周囲よりも凹んだ凹部が設けられている。
【００２２】
第８の構成では、竿立て部材に設けられている孔にナイフや包丁、ハサミ等の刃物が収容されたとしても、台座部材の上面に設けられた凹部により、刃物が台座部材の上面に到達しづらくなる。したがって、より釣りに適した機能を提供しつつ、台座部材の耐久性を向上させることができる。
【００２３】
第９の構成は、釣竿スタンドであって、釣竿を立てて保持可能な竿立て部材と、内部に中空部を有し、複数の竿立て部材を着脱自在に取り付け可能な被取付部を備える台座部材と、を有し、竿立て部材は、側面に、鉛直方向に起立した面に対して取り付け可能な取付部を備える。
【００２４】
第９の構成では、ひとつの台座部材に複数の竿立て部材を取り付けることができるため、船上等のようなスペースに限りがある場所でも、ひとつの釣竿スタンドに複数の釣竿を立てて保持ことができるうえ、水や砂等を台座部材の内部に入れ、台座部材の重さを確保することができる。加えて、台座部材に対して着脱可能な竿立て部材を、船の壁面等のような鉛直な面に対して取り付け可能であるため、釣竿スタンドの持ち運びの利便性を確保しつつ、釣竿スタンドを安定させることができ、且つ、釣竿スタンドの周囲の状況に適した構成で使用することができる。
【図面の簡単な説明】
【００２５】
【図１】釣竿スタンドの斜視図である。
【図２】台座部材の斜視図である。
【図３】台座部材の上面図である。
【図４】ベース部材の斜視図である。
【図５】ベース部材の上面図である。
【図６】ベース部材のＡＡ断面図である。
【図７】保持部材の斜視図である。
【図８】ベース部材への保持部材の取付方法を示す図である。
【図９】台座部材へのベース部材の取付方法を示す図である。
【図１０】壁面へのベース部材の取付方法を示す図である。
【発明を実施するための形態】
【００２６】
以下、実施形態を図面に基づいて説明する。なお、以下の実施形態において、互いに同一もしくは均等である部分には、図中、同一符号を付しており、同一符号の部分についてはその説明を援用する。
【００２７】
本実施形態に係る釣竿スタンドは、図１に示すように、台座部材１０と、台座部材１０の上面側に取り付けられたベース部材３０と、ベース部材３０の上面側に取り付けられた保持部材５０を備えて構成されている。
【００２８】
まず、台座部材１０の形状について、図２及び３を参照して説明する。台座部材１０は、上面視にて角丸長方形であり、外周は、一対の平行な長辺及び一対の平行な短辺と、長辺と短辺とをつなぐ円弧により構成されている。また、台座部材１０の上面と底面とは、上面及び底面に形成された凹凸を除き、平行である。なお、本実施形態に係る台座部材１０は、ポリエチレンにより形成されている。
【００２９】
台座部材１０の上面には、上面から底面側へ向けて凹んだ第１凹部１１が設けられている。この第１凹部１１は、一対の平行な長辺及び一対の平行な短辺と、長辺と短辺とを結ぶ円弧により構成される外壁部１２により囲まれる、略角丸長方形状の領域である。この外壁部１２の幅は全周に亘って略均一であり、外壁部１２の外周及び内周を構成する各面は、台座部材１０の上面に対して略垂直である。第１凹部１１の中央近傍には、第１凹部１１の底から上方へ隆起した角丸長方形状の内壁部１３が設けられている。この内壁部１３の長辺は外壁部１２の長辺と平行であり、内壁部１３の短辺は外壁部１２の短辺と平行である。この内壁部１３の外周を構成する各面は、外壁部１２の各面と同様に、台座部材１０の上面に対して略垂直である。
【００３０】
外壁部１２と内壁部１３との互いに対向する辺の間隔は、すべて等しい。外壁部１２の内周の短辺の長さは、内壁部１３の長辺の長さと等しい。したがって、外壁部１２の内周の短辺の長さと、外壁部１２と内壁部１３との互いに対向する辺の間隔の２倍との合計の長さが、外壁部１２の内周の長辺の長さと等しい。また、内壁部１３の内側には、上面側から底面側へと凹んだ複数の中央凹部１４が設けられている。
【００３１】
この第１凹部１１の底には、上面側から底面側へとさらに凹んだ第２凹部１５、及び第３凹部１９が、それぞれ２つずつ設けられている。各第２凹部１５は、上面視にて円形である一対の円形凹部１６，１７と、一対の円形凹部１６，１７どうしをつなぎ、円形凹部１６，１７の直径よりも幅が狭い接続凹部１８とで構成されている。
【００３２】
この２つの第２凹部１５は、上面視にて、台座部材１０の中心に対して点対象に設けられている。一対の円形凹部１６，１７のうちの一方の円形凹部１６は、第１凹部１１の隅に、中心が外壁部１２の内周の短辺及び長辺から等距離となるように設けられている。他方の円形凹部１７の外壁部１２の長辺からの離間距離は、一方の円形凹部１６と等しい。接続凹部１８は、外壁部１２の内周の長辺に対して平行に設けられており、円形凹部１６，１７の側面どうしをつなぐ。また、ひとつの第２凹部における一方の円形凹部１７の底には、上面側から底面側へと貫通した円形の水抜き孔２３が設けられている。
【００３３】
各第３凹部１９は、上面視にて半円と長方形とを組み合わせた形状である一対の多角凹部２０，２１と、その多角凹部２０，２１どうしをつなぐ接続凹部２２とで構成されている。接続凹部２２は、外壁部１２の内周の長辺に対して平行に設けられており、多角凹部２０，２１の半円の部分どうしをつなぐ。外壁部１２の短辺に近接して設けられた多角凹部２０では、長方形部分の長辺が外壁部１２の長辺と平行に設けられており、他方の多角凹部２１では、長方形部分の長辺が外壁部１２の短辺と平行に設けられている。多角凹部２０，２１及び接続凹部２２の深さは略均一である。加えて、ひとつの第３凹部１９における一方の多角凹部２１の底には、上面側から底面側へと貫通した円形の水抜き孔２３が設けられている。
【００３４】
第１凹部１１において、第２凹部１５と第３凹部１８の間のそれぞれには、上面側から底面側へと貫通した円形の孔２４が設けられている。この孔２４の中心の位置は、外壁部１２と内壁部１３との対向する辺から等距離であり、且つ、外壁部１２における孔２４が近接する辺を挟む一対の辺からも等距離である。また、台座部材１０の底面側において、孔２４が設けられる位置の周囲は、台座部材１０の上下方向の厚みが薄くなるように形成されている。
【００３５】
以上、外形を説明した台座部材１０は、その内部が中空に形成されている。台座部材１０の側面には、台座部材１０の内部空間と外部とをつなぐ孔が設けられており、その孔には、孔を閉塞する蓋２５が着脱自在に取り付けられている。
【００３６】
次に、ベース部材３０について図４〜６を参照して説明する。ベース部材３０も、台座部材１０と同様に、ポリエチレンにより形成されている。ベース部材３０は、上面視にて略角丸長方形であり、一対の長辺と、長辺の両端を結ぶ一対の弧状の短辺により外周が構成されている。ベース部材３０の上下方向の高さは、略均一となっている。このベース部材３０の長手方向の長さは、台座部材１０における、外壁部１２の内周の短辺の長さ及びと内壁部１３の長辺の長さと略等しい。また、ベース部材３０の幅は、台座部材１０の外壁部１２と内壁部１３との対向する辺の間隔と等しい。すなわち、ベース部材３０の長手方向の長さと、ベース部材３０の幅の２倍との合計の長さが、台座部材１０における、外壁部１２の内周の長辺の長さと略等しい。
【００３７】
ベース部材３０の長辺方向の両端部近傍には、それぞれ、上面側から底面側へ向けて凹んだ円筒形の円形凹部３１，３２が設けられている。２つの円形凹部３１，３２は同じ形状であり、円形凹部３１，３２の中心の、ベース部材３０の両長辺、及び、近接する短辺からの距離は、いずれも略等しい。円形凹部３１，３２の側面の厚みは、略均一であり、円形凹部３１，３２の側面と、ベース部材３０の側面との間には、空間が設けられている。各円形凹部３１，３２の底面には、上面側から底面側へと垂直に貫通する水抜き孔３３が設けられている。この水抜き孔３３は、上面視にて、円形凹部３１，３２と同心円状の円形であり、且つ、直径は円形凹部３１，３２の直径よりも小さい。
【００３８】
ベース部材３０の長手方向の中央には、上面側から底面側へと窪んだ四角筒形の四角凹部３４が設けられている。この四角凹部３４は上面視にて正方形であり、対向する一対の辺は、ベース部材３０の長辺と平行である。上面視にて、四角凹部３４の中心の位置は、ベース部材３０の中心と略等しい。四角凹部３４の底には、四角凹部３４の底からさらに凹んだ円筒形の円形凹部３５が設けられている。この円形凹部３５は、上面視にて、四角凹部３４の内接円と同心円であり、且つ、直径は、円形凹部３１，３２と等しい。したがって、円形凹部３５の中心は、ベース部材３０の中心と略等しく、各円形凹部３１，３２，３５の中心は、ベース部材３０の長手方向に平行な直線上に並ぶことになる。また、四角凹部３４の底の四隅には、円形凹部３５の周囲を囲うように上げ底された隆起部３６が設けられている。この隆起部３６は、上面視にて略角丸三角形である。
【００３９】
円形凹部３５の底には、円形凹部３５の底からさらに凹んだ多角筒形の多角凹部３７が設けられている。この多角凹部３７は、本実施形態では正八角筒であり、上面視での内接円は、円形凹部３５と同心円である。多角凹部３７の底には、上面側から底面側へと垂直に貫通する孔３８が設けられている。この孔３８は、上面視にて、四角凹部３４の内接円及び円形凹部３５と同心円状の円形である。すなわち、孔３８の中心は、ベース部材３０の中心と略等しい。また、孔３８の直径は、多角凹部３７の内接円の直径よりも小さく、台座部材１０の第１凹部１１に設けられた孔２４の直径と略等しい。
【００４０】
一方の円形凹部３１と四角凹部３４との間には、上面側から底面側へと貫通し、上面視にて略長方形の孔３９が設けられている。この孔３９の一対の短辺はベース部材３０の長辺と略平行である。この孔３９の底面側には、有底筒状のカバー部材４０が取り付けられている。このカバー部材４０の上側に位置する開口の形状は、孔３９と略同一の形状であり、ベース部材３０に取り付けられることで、孔３９を底面側から覆う。なお、孔３９の底面側にカバー部材４０を取り付けた場合、カバー部材４０はベース部材３０の底面よりも下方へ突出する。
【００４１】
他方の円形凹部３２と四角凹部３４との間には、上面側から底面側へと貫通し、上面視にて長方形の孔４１が、短辺どうしが対向し、且つ、それぞれの短辺をベース部材３０の長辺に対向するように設けられている。
【００４２】
ベース部材３０の一方の長辺側の側面には、底面側から上面側へ向けて切り込まれた長方形のスリット４２が設けられている。このスリット４２は長手方向に間隔を空けて２つ設けられており、且つベース部材３０の長手方向の中心との間隔が、互いに等しくなっている。
【００４３】
続いて、保持部材５０について、図７を参照して説明する。保持部材５０は、円筒形の筒部６０と、筒部の長手方向の一端に取り付けられた回動規制部７０とで構成されている。筒部６０は、例えばポリ塩化ビニールで形成されており、外径は、ベース部材３０の円形凹部３１，３２，３５の直径と略等しい。
【００４４】
回動規制部７０は、台座部材１０及びベース部材３０と同様に、ポリエチレンにより形成されている。この回動規制部７０は、内径が筒部６０の外径と概ね等しく形成された円筒形の接合部７１を備えている。この接合部７１の一方の端部には、接合部７１の中心軸を中心とし、内径が接合部７１の内径と等しく外径が接合部７１の外径よりも大きい、円環板状のフランジ７２を備えている。このフランジ７２には、厚み方向に貫通する孔７３が複数設けられている。
【００４５】
フランジ７２における接合部７１側の反対側には、回動規制部７０の中心軸に対して平行に延びる凸部７４が、互いに間隔を空けて４つ設けられている。各凸部７４は、上端部へ向けて幅が徐々に狭くなっており、上端部の形状は弧状である。周方向に隣接する一対の凸部７４のうちのひとつの間には、回動規制部７０の中心軸に対して垂直に突出した四角柱状の突出部７５が設けられている。この突出部７５には、回動規制部７０の中心軸に垂直な方向に向けて貫通する、断面円形の孔７６が設けられている。
【００４６】
以上のように構成されている回動規制部７０の接合部７１に、筒部６０の一方の端部が差し込まれることにより、保持部材５０が構成される。
【００４７】
以上説明した各部材の取付方法について、図８及び９を参照して説明する。図８に示すように、ベース部材３０の円形凹部３１，３２，３５へ、保持部材５０の筒部６０の端部が差し込まれることで、ベース部材３０に保持部材５０が取り付けられる。この場合に、ベース部材３０が３つの円形凹部３１，３２，３５を備えているため、ひとつのベース部材３０に対して最大で３つの保持部材５０を取り付けることができ、取り付ける保持部材５０の数は、必要に応じて任意に選択することができる。
【００４８】
台座部材１０へのベース部材３０の取り付けは、図９に示すように、台座部材１０の第１凹部１１にベース部材３０を嵌め込む。上述したように、ベース部材３０の長さが外壁部１２の内周の短辺の長さと略等しく、ベース部材３０の幅は、外壁部１２と内壁部１３の対向する辺の間隔と等しい。したがって、ベース部材３０の長辺が外壁部１２の内周の短辺に沿うように、ベース部材３０を外壁部１２と内壁部１３との間の第１凹部に嵌め込む。また、別のベース部材３０は、長辺が内壁部１３の長辺に沿うように、外壁部１２と内壁部１３との間の第１凹部１１に嵌め込む。上述したように、ベース部材３０の長辺の長さが内壁部１３の長辺の長さと等しく、ベース部材３０の長手方向の長さとベース部材３０の幅の２倍との合計の長さが、外壁部１２の内周の長辺の長さと略等しい。したがって、外壁部１１の長辺に沿うように嵌め込まれたベース部材３０の長手方向の端部は、外壁部１１の短辺に沿うように嵌め込まれたベース部材３０に接する。
【００４９】
ところで、上述したように、台座部材１０の第１凹部１１に設けられている孔２４の中心の位置は、外壁部１２と内壁部１３との対向する辺から等距離であり、且つ、外壁部１２における孔２４に近接する辺を挟む一対の辺からの距離からも等距離である。また、ベース部材３０の四角凹部３４に設けられた孔３８の中心は、ベース部材３０の長手方向及び幅方向の中心に位置する。したがって、台座部材１０の第１凹部１１にベース部材３０を嵌め込んだ場合に、台座部材１０の孔２４と、ベース部材３０の孔３８の中心が上面視で一致する。このように構成されているため、ベース部材３０の四角凹部３４の上面側から孔３８にボルト８０を挿入する。このボルト８０の頭８０ａは、ベース部材３０の多角凹部３７の外径よりもわずかに小さい正八角形である。したがって、ボルト８０を四角凹部３４の上面側から孔３８へ挿入する場合に、ボルト８０の頭８０ａが多角凹部３７に嵌まり、ボルト８０の軸回りの回転が抑制される。台座部材１０の孔２４の底面側の円環形のナット８１にねじ込むことで、台座部材１０にベース部材３０を固定する。また、ボルト８０には、頭８０ａから軸方向に貫通する孔８０ｂが設けられている。これにより、台座部材１０にベース部材３０を取り付けた場合に、ベース部材３０の中央の円形凹部３５の底から、ボルト８０の孔８０ｂを通り、台座部材１０の底へと至る通路が形成される。
【００５０】
一方、円形凹部３１，３２の底に設けられた水抜き孔３３は、台座部材１０の第２凹部１５又は第３凹部１９の上面に位置する。すなわち、台座部材１０にベース部材３０を取り付けた場合に、円形凹部３１，３２の底の水抜き孔３３から台座部材１０の第２凹部１５又は第３凹部１９を通り、台座部材１０の水抜き孔２３へと至る通路が形成される。また、台座部材１０にベース部材３０を取り付けた場合に、ベース部材３０の孔３９は、第３凹部１９の多角凹部２０，２１の長方形の部分の上面に位置して対向するため、孔３９の底にカバー部材４０が取り付けられている場合にも、そのカバー部材４０は本体部材１０に接触しない。
【００５１】
なお、台座部材１０に取り付けるベース部材３０の数は、必要に応じて任意に選択することができる。図１では、一例として、台座部材１０にベース部材３０を２つ取り付け、一方のベース部材３０に２つの保持部材５０を取り付け、他方のベース部材３０にひとつの保持部材５０を取り付けたものを挙げている。また、保持部材が取り付けられていないベース部材３０を台座部材１０に取り付けてもよい。
【００５２】
以上のようにして、台座部材１０にベース部材３０を取り付け、そのベース部材３０に保持部材５０を取り付けたうえで、図１で示したように、保持部材５０に釣竿９０を差し込むことで、釣竿９０を立てて保持することができる。このとき、釣竿９０は筒部６０により保持され移動が規制されるため、筒部６０を移動規制部材と称することができる。釣竿９０にリール９１が取り付けられていれば、リール９１が回動規制部７０の凸部７４間に嵌まり込み、釣竿９０の軸回りの回動を抑制することができる。加えて、釣竿９０に取り付けられた釣針をフランジ部７２の孔７３等に引っ掛けることもできる。また、台座部材１０の中空部には、水や砂を入れることで、釣竿９０が立てられる場合にも、釣竿スタンド全体の安定性を向上させることができる。なお、第１凹部１１はベース部材３０が取り付けられるため第１被取付部と称することができ、ベース部材３０の円形凹部３１，３２は保持部材５０が取り付けられるため第２被取付部と称することができる。
【００５３】
一方、ベース部材３０に保持部材５０を取り付けたうえで、ベース部材３０を台座部材１０に取り付けず、図１０に示すように、ベース部材３０を壁面８２に取り付けることができる。具体的には、ベース部材３０の側面に設けられたスリット４２に対して、ベース部材３０の内側からボルト８３を通し、ベース部材３０の側面が壁面８２に接するように取り付ける。この場合に、ベース部材３０に保持部材５０を取り付けたうえで、保持部材５０に設けられた突出部７５の孔にボルト等を通し、ベース部材３０と保持部材５０の両方を用いて壁面８２等に取り付けてもよい。また、ベース部材３０のスリット４２は、底面側が開放している形状であるため、壁面８２に設けられたフック等をスリット４２の下側から差し込むことで、ベース部材３０を壁面に取り付けることもできる。なお、ベース部材３０が取り付けられる対象は壁面８２に限られず、鉛直方向に起立した部分、例えば家具等の側面などにも取り付けることができる。
【００５４】
上記構成により、本実施形態に係る釣竿スタンドは、以下の効果を奏する。
【００５５】
・台座部材１０に複数のベース部材３０を取り付け可能で、ベース部材３０には複数の保持部材５０を取り付け可能であるため、使用する釣竿９０の数に応じて、最適な構成を選択することができる。
【００５６】
・台座部材１０の上面にベース部材３０を取り付け、ベース部材３０の上面に保持部材５０を取り付けるため、台座部材１０を載置可能な面積を確保できれば、実施形態に係る釣竿スタンドを使用することができる。したがって、船上や磯のような狭い場所でも、釣竿スタンドを使用することができる。
【００５７】
・釣竿９０は長尺状であるため、釣竿９０を立てて保持する場合には重心が高くなり、釣竿スタンドが軽量であれば、釣竿スタンドが倒れるおそれがある。また、台座部材１０の上部に釣竿９０を保持する保持部材５０を設ける場合には、重心がより高くなり安定性がさらに低下する。したがって、複数の釣竿９０を安定して立てるためには、釣竿スタンドに十分な重さが必要になる。一方、釣竿スタンドを重くすれば、持ち運びの利便性が低下する。この点、本実施形態では、台座部材１０の内部を中空としているため、釣りを行う場所に豊富に存在する水や砂等を台座部材１０の内部に入れ、台座部材１０の重さを確保することができる。したがって、台座部材１０の上部に設けた複数の保持部材５０に複数の釣竿９０を立てた場合でも、釣竿スタンドを安定させることができる。
【００５８】
・釣竿９０を収容して移動を規制する筒部６０と、釣竿９０のリール９１に当接して釣竿９０の回動を規制する回動規制部７０とを備えているため、釣竿スタンドを船上で使用した場合でも、船の揺れによる釣竿９０の移動や回動を抑制することができる。
【００５９】
・台座部材１０にベース部材３０を取り付けた場合に、円形凹部３１，３２の底の水抜き孔３３から台座部材１０の第２凹部１５又は第３凹部１９を通り、台座部材１０の水抜き孔２３へと至る流路が形成される。また、円形凹部３５の底のボルト８０に、軸方向に貫通する孔８０ｂを設けているため、ベース部材３０の中央の円形凹部３５の底から、ボルト８０の孔８０ｂを通り、台座部材１０の底へと至る流路が形成される。これにより、濡れた釣竿９０を保持部材９０に立てた際に、釣竿９０に付着した水が流路を通過して台座部材の底面へ抜けるため、ベース部材３０や台座部材１０の上面における水の滞留を抑制することができる。
【００６０】
・ベース部材３０の側面にスリット４２が設けられており、台座部材１０に対して着脱可能なベース部材３０を船の壁面８２等のような鉛直な面に対して取り付け可能であるため、釣竿スタンドの周囲の状況に適した構成で使用することができる。
【００６１】
・ベース部材３０への保持部材５０の取り付けを、筒部６０を挿入することにより行っており、この筒部６０は切断することで長さを変更することができるため、保持部材５０の高さを使用する釣竿９０に適した高さに変更することができる。
【００６２】
・台座部材１０は中空に形成されているため、ナイフや包丁、ハサミ等の刃物が接触した場合、穴が開くおそれがある。一方、釣竿スタンドには、釣りで使用する様々な道具を収容する機能も求められている。この点、ベース部材３０に孔３９を設け、魚釣りで使用されるナイフや包丁、ハサミ等の刃物を収容可能としつつ、その孔３９の底を閉塞するカバー部材４０により台座部材１０を保護しているため、より釣りに適した機能を提供しつつ、台座部材１０の耐久性を向上させることができる。加えて、台座部材１０の上面において、ベース部材３０を取り付けた場合に孔３８と対向する位置に第３凹部１９を設けているため、刃物が台座部材の上面に到達しづらくなる。したがって、カバー部材４０が取り付けられていない状況でも、台座部材１０への刃物の接触を抑制することができる
【００６３】
＜変形例＞
実施形態で示したものに限られず、種々の変更が可能である。共通の機能を有するものに適宜変更が可能である。実施形態に係る釣竿の機能を変更した例としては、例えば以下のものが挙げられる。なお、実施形態では各部材の素材を例示したが、各部材の素材は実施形態で示したものに限られず、適宜変更が可能である。
【００６４】
・実施形態では、台座部材１０に対して、ベース部材３０を最大で４つ取付可能としたが、取り付け可能なベース部材３０の数、及び、台座部材１０の上面におけるベース部材３０の配置は、実施形態で示したものに限られず、適宜変更することができる。
【００６５】
・実施形態では、ベース部材３０に円形凹部３１，３２，３５を３つ設け、最大で３つの保持部材５０を取付可能としたが、円形凹部３１，３２，３５の数及び配置は実施形態で示したものに限られず、適宜変更することができる。
【００６６】
・実施形態では、台座部材１０の第１凹部１１にベース部材３０を嵌め込むことで、台座部材１０にベース部材３０を取り付けたが、台座部材１０へのベース部材３０の取付手段は、実施形態で示したものに限られず種々の変更が可能である。
【００６７】
・実施形態では、ベース部材３０に対して保持部材５０を着脱自在に取り付けるものとしたが、ベース部材３０の台座部材１０へ取り付け可能な機能と、保持部材５０の釣竿９０の移動及び回動を規制する機能とを、ひとつの部材が備えるものとしてもよい。
【００６８】
・実施形態では、ベース部材３０に対して保持部材５０を取り付けるものとしたが、台座部材１０に保持部材５０を取り付け可能な凹部等も設けるものとしてもよい。この場合には、ベース部材３０を壁面８２に取り付け、余剰のベース部材３０が無い場合でも、台座部材１０に保持部材５０を取り付けることができる。
【００６９】
・実施形態では、保持部材５０に筒部６０を設け、この筒部６０に釣竿９０を挿入することで釣竿９０の移動を規制するものとしたが、釣竿９０の移動を規制する形状はこれに限られない。例えば、長尺状の部材の側面に環状の部材を複数設け、その環状の部材により釣竿９０を保持するものとしてもよい。また、ベース部材３０の円形凹部３１，３２，３５に保持部材を嵌め込む手段を採用しているが、ベース部材３０の形状は、保持部材５０の形状に応じて適宜変更することができる。
【００７０】
・台座部材１０へのベース部材３０の取り付け方向は、上面側に限られず、側面に取り付けるものとしてもよいし、上面と側面のそれぞれに取り付けるものとしてもよい。側面にベース部材３０を取り付ける場合には、ベース部材３０のスリット４２を用いて、台座部材１０に取り付けるものとしてもよいし、ベース部材３０のスリット４２が設けられる側の反対側や長手方向の端部等に取付部を設け、その取付部を用いて台座部材１０に取り付けるものとしてもよい。ベース部材３０への保持部材５０の取り付け方向についても同様である。
【００７１】
・実施形態では、保持部材５０に釣竿を挿入し、釣竿を立てて保持する用途を説明したが、釣りなどで使用する様々な長尺状の物品の保持にも利用可能である。
【符号の説明】
【００７２】
１０…台座部材、１１…第１凹部、１５…第２凹部、１９…第３凹部、２３…水抜き孔、３０…ベース部材、３１…円形凹部、３２…円形凹部、３３…水抜き孔、円形凹部…３５、３９…孔、４０…カバー部材、４２…スリット、５０…保持部材、６０…筒部、７０…回動規制部、７４…凸部、９０…釣竿
【図１】
2020028264.tif 000003
【図２】
2020028264.tif 000004
【図３】
2020028264.tif 000005
【図４】
2020028264.tif 000006
【図５】
2020028264.tif 000007
【図６】
2020028264.tif 000008
【図７】
2020028264.tif 000009
【図８】
2020028264.tif 000010
【図９】
2020028264.tif 000011
【図１０】
2020028264.tif 000012